(57)【要約】【課題】扉の上部を覆う屋根を本体と一体に形成した構造であり、扉の開放時に雨水が本体の内部に進入することがない電気機器収納用プラスチックボックスを提供する。【解決手段】電気機器が収納される本体１０と、その前面開口部を覆う扉１１とを備え、この扉１１の上方を覆う屋根部１４を本体天井面１３の上方に本体１０と一体に形成した電気機器収納用プラスチックボックスである。屋根部１４の下側の本体天井面１３は、背面側に行くほど低くなる傾斜面とされている。また屋根部１４の背面側には、水抜き用開口部２０が形成されている。【選択図】図５
2016219536.tif 000002
【特許請求の範囲】
【請求項１】
電気機器が収納される本体と、本体の前面開口部を覆う扉とを備え、この扉の上方を覆う屋根部を本体天井面の上方に本体と一体に形成した電気機器収納用プラスチックボックスであって、
前記屋根部の下側の本体天井面は、背面側に行くほど低くなる傾斜面とされ、
かつ前記屋根部の背面側に、水抜き用開口部が形成されていることを特徴とする電気機器収納用プラスチックボックス。
【請求項２】
本体の開口部の上端縁に、上方に延びる立上辺を形成したことを特徴とする請求項１記載の電気機器収納用プラスチックボックス。
【請求項３】
前記屋根部の背面側に、下方に延びる垂下辺を形成したことを特徴とする請求項１又は２に記載の電気機器収納用プラスチックボックス。
【発明の詳細な説明】
【技術分野】
【０００１】
本発明は、屋外に設置可能な電気機器収納用プラスチックボックスに関するものである。
【背景技術】
【０００２】
電気機器収納用プラスチックボックスは、例えば工事用の配電盤などに用いられ、屋外に設置されることがある。このような電気機器収納用プラスチックボックスは、電気機器が収納される本体と、この本体の前面開口部を覆う扉とを備えたものである。
【０００３】
扉と本体との間にはパッキンが配置されており、扉を閉じた状態では本体の内部に雨水が進入しない構造となっている。このような屋外に設置される電気機器収納用箱では、防水性向上、パッキンへの日射を防ぐため特許文献１に示すように、扉の上部を覆う屋根部を本体の上部に取付けた電気機器収納用プラスチックボックスが用いられている。
【０００４】
この特許文献１の電気機器収納用プラスチックボックスにおいては、屋根部はその前部を固定金具によって本体に取付け、後部をボルトナットによって本体に取付けられている。しかし部品点数が多くなるうえに、本体に屋根部を取付けるために手数がかかるという問題があった。
【０００５】
この問題を解決するために、本出願人は図１に示すように、扉１の上方を覆う屋根部２を本体３と一体に形成した電気機器収納用プラスチックボックスを開発した。この電気機器収納用プラスチックボックスでは、図１に示すように、屋根部２の下側と本体天井面４との間に形成される屋根下空間５に、扉１の上端辺６が入り込んでいる。扉１の上側先端部６は屋根部２と擦れ合わないように、隙間８を設けてある。また扉１の内面にはパッキン７が取付けられており、本体２の開口部の端面との間を防水シールしている。
【０００６】
図１に示す構造の屋根部２を本体３と一体にプラスチックで成形するためには、屋根下空間５を成形する金型を図１の左方向に抜く必要がある。従って屋根下空間５の床面である屋根部２の下側の本体天井面４は、抜き勾配を確保するために、前側（扉側）が低くなる構造となる。このように前面が低くなる勾配は、上記した隙間８から屋根下空間５に進入した雨水を、扉１の開放時に流出させる可能性がある。
【０００７】
しかしながら、扉１を閉じた状態では屋根下空間５の前端にはパッキン７があるため、屋根下空間５に雨水が進入した雨水がパッキン７の裏面に溜まることがある。この雨水は、扉１を開いた瞬間に滴下して本体３の内部に進入し、収納された電気機器を濡らすことがあった。
【先行技術文献】
【特許文献】
【０００８】
【特許文献１】特開平８−３２２５２号公報
【発明の概要】
【発明が解決しようとする課題】
【０００９】
従って本発明の目的は上記した従来の問題点を解決し、扉の上部を覆う屋根を本体と一体に形成したにも拘わらず、扉の開放時に雨水が本体の内部に進入することがない、新規な電気機器収納用プラスチックボックスを提供することである。
【課題を解決するための手段】
【００１０】
上記の課題を解決するためになされた本発明は、電気機器が収納される本体と、本体の前面開口部を覆う扉とを備え、この扉の上方を覆う屋根部を本体天井面の上方に本体と一体に形成した電気機器収納用プラスチックボックスであって、前記屋根部の下側の本体天井面は、背面側に行くほど低くなる傾斜面とされ、かつ前記屋根部の背面側に、水抜き用開口部が形成されていることを特徴とするものである。
【００１１】
請求項２の発明は、請求項１の発明において、本体の開口部の上端縁に、上方に延びる立上辺を形成したことを特徴とするものである。
【００１２】
また請求項３の発明は、請求項１又は２の発明において、前記屋根部の背面側に、下方に延びる垂下辺を形成したことを特徴とするものである。
【発明の効果】
【００１３】
本発明の電気機器収納用プラスチックボックスは、扉の上方を覆う屋根部を本体天井面の上方に本体と一体に形成した構造であるので、特許文献１の構造に比較して、部品点数が少なくなり、屋根部の取付け手数もなくなるので、製作コストを引き下げることができる。
【００１４】
また本発明の電気機器収納用プラスチックボックスは、屋根部の下側の本体天井面は、背面側に行くほど低くなる傾斜面とされ、かつ屋根部の背面側に、水抜き用開口部が形成されているので、背面側に引き抜く金型を用いることによって、安価に製造することができる。しかも屋根下空間に進入した雨水は水抜き用開口部から本体の背面側に流出し、溜まることがないので、扉を開いた瞬間に滴下するおそれがない。
【００１５】
請求項２の発明の電気機器収納用プラスチックボックスは、本体の開口部の上端縁に上方に延びる立上辺を形成したので、背面側の水抜き用開口部から屋根下空間に進入した水はこの立上辺によってそれ以上進入することができず、扉と本体との当接部に達しない。従って防水効果を高めることができる。
【００１６】
請求項３の発明の電気機器収納用プラスチックボックスは、屋根部の背面側に下方に延びる垂下辺を形成したので、背面側の水抜き用開口部から屋根下空間への雨水の進入量を抑制することができる。
【図面の簡単な説明】
【００１７】
【図１】従来の電気機器収納用プラスチックボックスの要部断面図である。
【図２】本発明の実施形態を示す全体視図である。
【図３】本発明の実施形態を示す背面斜視図である。
【図４】本発明の実施形態を示す要部の断面斜視図である。
【図５】本発明の実施形態を示す要部断面図である。
【図６】他の実施形態を示す全体視図である。
【発明を実施するための形態】
【００１８】
以下に本発明の実施形態を示す。
図２に示すように、本発明の電気機器収納用プラスチックボックスは、内部に電気機器が収納される箱状の本体１０と、本体１０の前面開口部を覆う扉１１とを備える。これらの本体１０と扉１１は何れもプラスチックの成形体である。扉１１は図示されない蝶番によって、本体１０に開閉自在に取り付けられている。１２は扉１１の開閉用ハンドルであり、鎖錠機能を備えている。
【００１９】
本体天井面１３の上方には、扉１１の上方を覆う屋根部１４が本体１０と一体に形成されている。図３に示すように、屋根部１４は本体１０の全幅にわたり形成されており、その両側の幅方向端部が、垂直辺１５によって本体１０の側壁１６と一体化されている。屋根部１４は図４、図５に示すように庇状であり、扉１１の上部全体を覆っている。この実施形態では垂直辺１５を左右の端部に形成したが、中間部に形成することもできる。
【００２０】
図４、図５に示すように、屋根部１４の下側には屋根下空間１７が形成され、扉１１を閉じたときにその上端辺１８が屋根下空間１７に進入する構造となっている。このとき扉１１の上端辺１８が屋根部１４と接触しないように、扉１１の上端辺１８と屋根部１４との間には、隙間１９が形成されている。
【００２１】
図１に示す従来構造では、屋根下空間５は本体１０の前側（扉側）に引き抜かれる金型を用いて成形されていた。これに対して本発明では、屋根部１４の背面側に水抜き用開口部２０を形成し、この水抜き用開口部２０を通じて背面側（扉の反対側）に引き抜かれる金型を用いて屋根下空間１７を成形した。このため金型の抜け勾配が従来の逆向きとなり、屋根部１４の下側の本体天井面１３は、背面側に行くほど低くなる傾斜面となっている。なお図５中の破線２１は水平面を示している。
【００２２】
図４、図５に示されるように、本体１０の開口部の上端縁には、上方に延びる立上辺２２が形成されている。またこの立上辺２２と扉１１の上部垂直壁２３との間には、パッキン２４が設けられている。立上辺２２の高さは、扉１１と接触しないように設定されている。パッキン２４は扉１１側に設けても、本体１０側に設けてもよい。
【００２３】
屋根部１４の背面側には、下方に延びる垂下辺２５が形成されている。この垂下辺２５は前記した水抜き用開口部２０の上側から垂下し、雨水が吹き込む開口面積を減少させている。またこの垂下辺２５には屋根部１４の補強効果がある。なお本体１０の左右にも垂下辺２５と同様の突出辺を形成しておけば、雨水を確実に本体１０の下方に導くことができる。
【００２４】
このように構成された本発明の電気機器収納用プラスチックボックスは、屋根部１４を本体１０と一体に形成したものであるので、製作コストを引き下げることができる。垂下辺２５を備えた屋根部１４は、前側に引き抜かれる金型と、後側に引き抜かれる金型とを用い、容易に成形することができる。
【００２５】
この電気機器収納用プラスチックボックスは、例えば配電盤として屋外に設置されるものであり、雨水が屋根部１４と扉１１の上端辺１８との隙間１９から屋根下空間１７に進入することは従来と同様である。しかし屋根部１４の下側の本体天井面１３は、背面側に行くほど低くなる傾斜面となっているため、進入した雨水は水抜き用開口部２０を通じて背面側に排出される。従って屋根下空間１７の内部に溜まった水が、扉１１を開いたときに滴下し、本体１０の内部の電気機器を濡らすことがない。
【００２６】
また本実施形態のように、本体１０の開口部の上端縁に上方に延びる立上辺２２を形成しておけば、水抜き用開口部２０から噴流が進入した場合にも立上辺２２によって遮られ、雨水が本体１０の開口部に達することがない。このため、風雨が直接吹き付けるような場合にも、防水性能を確保することができる。なお、この立上辺２２の先端位置と、垂下辺２５の先端位置は、本体部１０からの高さが対応したものとなっている。
【００２７】
また本実施形態のように、屋根部１４の背面側に垂下辺２５を形成しておけば、雨水が吹き込む水抜き用開口部２０の開口面積を減少させることができるので、屋根下空間１７の内部への雨水の進入量を抑制することができる。
【００２８】
上記した実施形態では、本体天井面１３を背面側に向けて低くなるよう傾斜させたが、図６に示すように左右方向にも勾配を形成し、雨水を本体天井面１３の左右に導くようにしてもよい。
【符号の説明】
【００２９】
１  扉
２  屋根部
３  本体
４  本体天井面
５  屋根下空間
６  上端辺
７  パッキン
８  隙間
１０  本体
１１  扉
１２  開閉用ハンドル
１３  本体天井面
１４  屋根部
１５  垂直辺
１６  側壁
１７  屋根下空間
１８  上端辺
１９  隙間
２０  水抜き用開口部
２１  破線
２２  立上辺
２３  上部垂直壁
２４  パッキン
２５  垂下辺
【図１】
2016219536.tif 000003
【図２】
2016219536.tif 000004
【図３】
2016219536.tif 000005
【図４】
2016219536.tif 000006
【図５】
2016219536.tif 000007
【図６】
2016219536.tif 000008